(57)【要約】【課題】擁壁パネル間の連結を簡単確実に行えるジョイント補強具、およびジョイント具を使用した盛土構造と盛土工法を提供すること。【解決手段】擁壁パネル２０を収容可能な収容溝３１を複数備えており、少なくとも二本の前記収容溝３１、３１を略反対方向に向けて形成した、擁壁パネルのジョイント補強具３０。【選択図】        図１
2004332463.tif 000002
【特許請求の範囲】
【請求項１】
隣り合う擁壁パネルを連結するジョイント補強具であって、
擁壁パネルを収容可能な収容溝を複数備えており、
少なくとも二本の前記収容溝が、前記擁壁パネルの差込み口を略反対方向に向けて配置していることを特徴とする、
擁壁パネルのジョイント補強具。
【請求項２】
請求項１において、二つの収容溝で構成し、前記各収容溝に収容させた擁壁パネルを、同一平面上に配置して連結できるように位置させたことを特徴とする、擁壁パネルのジョイント補強具。
【請求項３】
請求項１において、二つの収容溝で構成し、前記各収容溝に収容させた擁壁パネルを、該擁壁パネルの貫通方向にずらして配置して連結できるように、前記収容溝を擁壁パネルの貫通方向にずらして位置させたことを特徴とする、擁壁パネルのジョイント補強具。
【請求項４】
盛土の擁壁面に擁壁パネルを設置した盛土構造であって、
請求項１乃至請求項３の何れかのジョイント補強具を使用し、
隣り合う擁壁パネル間に、前記したジョイント補強具を介在させて配置して隣り合う擁壁パネルを一体に連結したことを特徴とする、
盛土構造。
【請求項５】
請求項４において、擁壁パネルの二辺にジョイント補強具を介在させて、隣り合う擁壁パネルを一体に連結したことを特徴とする、盛土構造。
【請求項６】
請求項４において、擁壁パネルの全ての辺にジョイント補強具を介在させて、隣り合う擁壁パネルを一体に連結したことを特徴とする、盛土構造。
【請求項７】
擁壁面に擁壁パネルを配置する工程と、擁壁パネルの背面に盛土する工程とを繰り返して行う盛土工法であって、
請求項１乃至請求項３の何れかのジョイント補強具を使用し、
前記ジョイント補強具の収容溝に各擁壁パネルの周縁を差し込んで、隣り合う擁壁パネルを一体に連結したことを特徴とする、
盛土工法。
【発明の詳細な説明】
【０００１】
【発明の属する技術分野】
本発明は、擁壁パネルのジョイント補強具、および盛土構造および盛土工法に関するものである。
【０００２】
【従来の技術】
擁壁パネルを配置して擁壁面の形状を維持しながら施工する補強盛土工は、近年数多く採用されている。
この補強盛土工は、例えば図９に示すように土面にジオグリッドと呼ばれる盛土補強材ｃを水平に敷設する工程と、エキスパンドメタル製の断面Ｌ字形を呈する擁壁パネルｂ（以下、擁壁パネルｂの各片を起立部、水平部と呼ぶ）を敷設した盛土補強材ｃの一端部に載置して両者を連結する工程と、擁壁パネルｂの背面側に土砂を撒き出して転圧する盛工程とを繰り返し行い、所要高さの補強盛土構造体を得るものである。
【０００３】
【発明が解決しようとする課題】
前記した従来の補強盛土技術にあっては、次のような問題点がある。
＜イ＞盛土の擁壁面を覆う擁壁パネルｂ群は並んではいるが、一体構造ではなく分離している。そのため、一部の擁壁パネルｂに過大な土圧が作用したときに周囲の擁壁パネルｂに力が伝わらないので、安定性の点で改善の余地がある。
＜ロ＞擁壁パネルｂの水平部は盛土工程の際に自立させるために機能上必須の部位である。
その一方で、水平部は擁壁パネルｂ全体の使用材料のうち２０〜１５０％もの割合を占めるため、擁壁パネルｂの使用材料を節約できる新技術の提案が望まれている。
＜ハ＞撒き出した土砂を転圧する際、盛土内に埋設された擁壁パネルｂの水平部に力が加わり、この力が起立部に伝播するために剛性の小さい起立部に歪みが生じ易くなり、露出する擁壁面が歪んで見栄えが悪くなる。
【０００４】
【発明の目的】
本発明は上記したような、従来問題を解決するためになされたもので、擁壁パネルを相互に連結して一体構造とすることができる、擁壁パネルのジョイント補強具、およびジョイント補強具を用いた盛土構造と盛土工法を提供することを目的とする。
【０００５】
【課題を解決するための手段】
上記のような目的を達成するために、本発明の擁壁パネルのジョイント補強具は、隣り合う擁壁パネルを連結するジョイント補強具であって、擁壁パネルを収容可能な収容溝を複数備えており、少なくとも二本の前記収容溝が、前記擁壁パネルの差込み口を略反対方向に向けて配置していることを特徴とするものである。
【０００６】
また、本発明の擁壁パネルのジョイント補強具は、前記したジョイント補強具において、二つの収容溝で構成し、前記各収容溝に収容させた擁壁パネルを、同一平面上に配置して連結できるように位置させたことを特徴とするものである。
【０００７】
また、本発明の擁壁パネルのジョイント補強具は、前記したジョイント補強具において、二つの収容溝で構成し、前記各収容溝に収容させた擁壁パネルを、該擁壁パネルの貫通方向にずらして配置して連結できるように、前記収容溝を擁壁パネルの貫通方向にずらして位置させたことを特徴とするものである。
【０００８】
また、本発明の盛土構造は、盛土の擁壁面に擁壁パネルを設置した盛土構造であって、前記した何れかのジョイント補強具を使用し、隣り合う擁壁パネル間に、前記したジョイント補強具を介在させて配置して隣り合う擁壁パネルを一体に連結したことを特徴とするものである。
【０００９】
また、本発明の盛土構造は、前記した盛土構造において、擁壁パネルの二つの辺にジョイント補強具を介在させて、隣り合う擁壁パネルを一体に連結したことを特徴とするものである。
【００１０】
また、本発明の盛土構造は、前記した盛土構造において、擁壁パネルの全ての辺にジョイント補強具を介在させて、隣り合う擁壁パネルを一体に連結したことを特徴とするものである。
【００１１】
また、本発明の盛土工法は、擁壁面に擁壁パネルを配置する工程と、擁壁パネルの背面に盛土する工程とを繰り返して行う盛土工法であって、前記した何れかのジョイント補強具を使用し、前記ジョイント補強具の収容溝に各擁壁パネルの周縁を差し込んで、隣り合う擁壁パネルを一体に連結したことを特徴とするものである。
【００１２】
【発明の実施の形態１】
以下図面を参照しながら本発明の実施の形態について説明する。
【００１３】
＜イ＞擁壁パネル
盛土１０の形状を保持すると共に擁壁面１１を保持する擁壁パネル２０は、例えば矩形、正方形、或いは六角形等を呈する平板で、盛土１０の擁壁面１１に設置する。
【００１４】
擁壁パネル２０には、軽量でかつ土圧に対抗できる強度の素材を使用し、例えばエキスパンドメタルや溶接金網等を採用できる。
この擁壁パネル２０の表面には、亜鉛鍍金等の鍍金加工やポリエチレンコーティング等のプラスチック塗装等を行って防錆処理を施しておくことが望ましい。
【００１５】
擁壁パネル２０の大きさは、施工目的および施工規模等により適宜選択するが、実用性の点から言えば、高さが２００〜１０００ｍｍで横幅が１０００〜２５００ｍｍの帯状を呈するエキスパンドメタルが好適である。
【００１６】
＜ロ＞ジョイント補強具
ジョイント補強具３０は、擁壁パネル２０、２０の間に介装させて使用する。
ジョイント補強具３０は相互の擁壁パネル２０、２０に一体性を持たせるための連結具として機能することの他に、擁壁パネル２０の補強部材としても機能する。
図示したジョイント補強具３０について説明すると、ジョイント補強具３０は断面形状が略Ｈ形を呈する帯材であって、擁壁パネル２０を収容可能な収容溝３１を少なくとも二つ形成している。
【００１７】
ジョイント補強具３０の全長は特に制約はないが、嵌挿対象の擁壁パネル２０の嵌挿予定の辺の長さと略同じ長さに設定するとよい。
またその素材は、鋼、ステンレス、アルミ等の金属製の他にＦＲＰ製でも良く、また金属素材の場合は、亜鉛鍍金等の各種防錆処理を施しておくとよい。
【００１８】
各収容溝３１，３１は、一対の側面３１１、３１１と、側面３１１、３１１間を接続する底面３１２とにより囲まれた空間域で、底面３１２の他端側には、擁壁パネル２０の厚さより広目の差込み口３２を形成している。
各収容溝３１，３１は、底面３１２を間に挟んでその差込み口３２，３２が互いに略反対方向（図１，２では上下方向）に向くように配置されている。
【００１９】
各側面３１２には山形に屈曲して単数または複数の凸部３１３を形成している。
凸部３１３は各側面３１２の剛性を高めるためと、擁壁パネル２０を弾力的に保持するために機能する部位で、ジョイント補強具３０の長手方向に沿って連続して、または間欠的に形成する。
【００２０】
上記したジョイント補強具３０は、押し出し成形により一体成形品として形成してもよいが、公知の断面コ字形のレール材の底面３１２を背合わせにして、リベット３１４やスポット溶接により接合して形成すると、低コストで簡単に製作し得る。
【００２１】
＜ハ＞盛土補強材
盛土補強材４０は、盛土１０中に埋設して盛土１０を補強するためのシート状物で、例えば実公平６−２９２１０号公報に記載された土木工事用樹脂ネットや、他のジオテキスタイル（繊維補強された樹脂ネット、延伸された樹脂ネット、メッシュ状織編布を固め加工したもの、通常の織編布、不織布等）等を使用できる。
尚、盛土補強材４０は本発明の必須の部材ではなく、省略する場合もある。
【００２２】
＜ニ＞連結手段
連結手段５０は、図４に示すように擁壁パネル２０と盛土補強材４０の間を連結するための連結具で、例えば、帯具５１と、この帯具５１に挿入して使用する２本の連結ピン５２、５３とにより構成する。
帯具５１は、基材５４、５４と、基材５４の直交方向に等ピッチで配置し、それらの交差部を固定した複数の桟材５５と、同じく基材５４の直交方向に配置し、それらの交差部を固定した複数の前腕材５６とにより構成しており、一方の連結ピン５２は、各桟材５５の中間に形成した山形の隆起部５５１内側に配置し、もう一方の連結ピン５３は、棒材をＵ字状に折り返し、その両端を基材５４に固定した前腕材５６と協働して、擁壁パネル２０の中腹部へ掛止するのに用いる、かかる形態の連結手段５０が使用できる。
尚、連結手段５０は、必ずしも上記した形態に限定されるものではなく、公知の各種の連結具を適用することができる。
【００２３】
つぎに盛土の構築方法について説明する。
【００２４】
図１において、下位の擁壁パネル２０ａの背面には、その中程までの高さに撒き出した土砂を転圧して盛土１０ａが形成されている。
下位の擁壁パネル２０ａの中間と盛土補強材４０の一端との間は、図４に示す連結手段５０で連結されている。
盛土補強材４０は、弛みのない状態で盛土１０ａの上面に敷設され、右方の図示しない範囲に土塊を載置して、擁壁パネル２０ａの前傾が防止されている。
この状態で下位の擁壁パネル２０ａの上部に、別途のパネル２０ｂを組み付ける場合には、以下の要領で行う。
【００２５】
まず下位の擁壁パネル２０ａの上辺にジョイント補強具３０の下方の収容溝３１を差し込んで、ジョイント補強具３０を取付ける（図２、３参照）。
この取付けは、隣り合う擁壁パネル２０ａ、２０ａに跨って配置すれば、横方向に隣接する擁壁パネル２０ａ、２０ａ間に一体性を付与できる。
次にジョイント補強具３０の上位の収容溝３１に、組み付け予定の別途のパネル２０ｂの下片を差し込む。これにより上下の擁壁パネル２０ａ、２０ｂ間を一体に連結できる。
ジョイント補強具３０を介在させるだけで、上下の擁壁パネル２０ａ、２０ｂを位置決めして同一平面上に揃えることができる。
また、収容溝３１，３１に嵌め込んだ擁壁パネル２０ａ、２０ｂは、凸部３１３を形成して補強した一対の側面３１２により、パネルの貫通方向の移動が拘束されると共に、擁壁パネル２０自身のねじれも拘束される。
【００２６】
ジョイント補強具３０を介して上位の擁壁パネル２０ｂを組み付けた以降は、同様に盛土１０ａの上に上位の擁壁パネル２０ｂの中程の高さまで撒き出した土砂を転圧する工程と、連結手段５０を介して別途の盛土補強材４０を連結して敷設する工程と、上位の擁壁パネル２０ｂの上方に、ジョイント補強具３０を介して別途の擁壁パネル２０を一体に組み増しする工程とを繰り返し行って、所定の高さまで盛土する。
完成した擁壁面１１は、擁壁パネル２０の端部がジョイント補強具３０で覆われているから、バリや捲れのない、安全な盛土１０に仕上げることができる。
【００２７】
尚、必要に応じて擁壁パネル２０の背面に公知のシート１２を被覆して配置する。シート状物１２は擁壁パネル２０からの土砂の漏出を防止する不織布や養生シート、緑化用種付きシートを含むものである。
【００２８】
このようにして構築した補強盛土は、縦方向に配列した擁壁パネル２０群は、ジョイント補強具３０により一体構造物となる。
ジョイント補強具３０を横方向に隣接する擁壁パネル２０間に跨って配置した場合は、縦方向に配列した擁壁パネル２０群だけでなく、横方向に配設した擁壁パネル２０群もジョイント補強具３０により一体構造物となる。
また擁壁パネル２０に作用する土圧は、背面の盛土補強材４０により支持される共に、ジョイント補強具３０を介して全体の擁壁パネル２０群に伝達されて支持される。
そのため、擁壁パネル２０の板厚を薄く設計できるだけでなく、ジョイント補強具３３の板厚も薄く設計できる。
【００２９】
【発明の実施の形態２】
前記実施の形態１では、擁壁パネル２０を同一平面上に配置して連結できるように、二つの収容溝３１、３１を上下対称位置に形成したジョイント補強具３０について示すが、図６に示すように収容溝３１、３１を擁壁パネル２０の貫通方向に所定の距離だけずらして形成したジョイント補強具３３であってもよい。
本例のジョイント補強具３３は断面形状が略己形を呈するもので、二つの収容溝３１、３１が擁壁パネル２０の貫通方向にずれているだけで、他の構造は前述した実施の形態１と同じである。
【００３０】
本例のジョイント補強具３３を使用して上下に隣り合う擁壁パネル２０、２０間を接合した場合に継ぎ目箇所に段差を生じるが、この段差は擁壁パネル２０の厚さ分の無視できる程度の小さなものである。
【００３１】
【発明の実施の形態３】
配置する擁壁パネル２０の横方向の縁辺には、例えば断面略コ字型を呈するキャップを装着しても良い（図示せず）。これによって個々の擁壁パネル２０は補強され、また擁壁パネル２０の縁辺も被覆されるため、安全面でも優れる。
また、このキャップの側面にも、凸部を設けて曲げに対する抵抗を増強させてもよい。
【００３２】
【発明の実施の形態４】
以上のジョイント補強具３０，３３を、擁壁パネル２０、２０の左右の辺に取り付けて横方向に配列した擁壁パネル２０群に一体性を付与してもよい。
また図７に示すように、ジョイント補強具３０を擁壁パネル２０の上下の辺と左右の辺に配置して、縦横方向に配列させた擁壁パネル２０群に一体性を付与するようにしても良い。
【００３３】
【発明の実施の形態５】
擁壁パネル２０を支持する他の手段としては、図８に示すように擁壁パネル２０の表面からアンカー６０を打設してもよい。本例にあっては、前述した盛土補強材４０と連結手段５０を省略することができる。
【００３４】
【発明の効果】
本発明は、以上説明したようになるから次のような効果を得ることができる。
＜イ＞ジョイント補強具を介して多数の擁壁パネル群を一体化することができる。
したがって、擁壁パネルを独立して配列した従来の盛土と比べて安定性が格段に向上する。
＜ロ＞擁壁パネルを同一平面上に揃えて綺麗に仕上げることができる。
＜ハ＞ジョイント補強具を使用することで、擁壁パネルとして平板を使用することが可能となる。
そのため、断面がＬ字形の擁壁パネルを使用する場合と比べて、擁壁パネルの使用材料を大幅に軽減することができる。
＜ニ＞ジョイント補強具は複雑な形状や構造をしていないので、製造が容易で取り扱いも簡単である。
【図面の簡単な説明】
【図１】本発明の実施の形態１の説明図
【図２】ジョイント補強具の詳細図
【図３】擁壁パネルの組み増し時の斜視図
【図４】擁壁パネルと補強盛土材との連結部分の詳細図
【図５】連結手段の説明図
【図６】実施の形態２に係るジョイント補強具の説明図
【図７】実施の形態４の実施平面図
【図８】実施の形態５の断面説明図
【図９】従来の盛土構造の断面図
【符号の説明】
１０・・盛土
１１・・擁壁面
２０・・擁壁パネル
３０・・ジョイント補強具
３１・・収容溝
３２・・差込み口
４０・・盛土補強材
５０・・連結手段
【図１】
2004332463.tif 000003
【図２】
2004332463.tif 000004
【図３】
2004332463.tif 000005
【図４】
2004332463.tif 000006
【図５】
2004332463.tif 000007
【図６】
2004332463.tif 000008
【図７】
2004332463.tif 000009
【図８】
2004332463.tif 000010
【図９】
2004332463.tif 000011